(57)【要約】 【課題】  袋体の前面部に設けた多数の小孔からなる可視部から鏡に映った洋服を直接目で見えるようにし、該袋体を脱いだり被り直したりする手間をなくして試着した洋服の汚れを防止する。【解決手段】  通気性及び透視性を有したシート材で顔を収容する袋体１を構成し、試着者の顔を覆う前記袋体の前面部４の上部に、該袋体を被った試着者の目の部位に略合致して多数の小孔１１からなる可視部１２，１２ａ、また任意形状に開口した開口窓に透明フイルムを貼り付けて形成した可視部１２ｂを設けた該前面部４の下端を、該袋体の後面部６の下端より長く形成する。この前面部４の下端中間部に切溝８を下方から上方に設けて垂片部４ａ，４ｂをそれぞれ形成し、各垂片部４ａ，４ｂの中央部に他方側の垂片部４ｂ，４ａを挿入して締付けることができるよう差込用の切込溝１０を設けてある。【選択図】  図１
0003104540.tif 000002
【実用新案登録請求の範囲】
【請求項１】
通気性及び透視性を有したシート材で頭部を収容できるよう下方に開口部（１５）を設けて折畳可能に形成した袋体（１）を構成し、
試着者の顔を覆う前記袋体の前面部（４）の上部に、該袋体を被った試着者の目の部位に略合致する一定範囲に多数の小孔（１１）からなる可視部（１２）を設けた該前面部（４）の下端を、該袋体の後面部（６）の下端より長く形成し、
該前面部（４）の下端中間部に下方から上方に切溝（８）を形成して左右に分断した垂片部（４ａ，４ｂ）を設けてなり、
各垂片部（４ａ，４ｂ）の中央部に他方側の垂片部（４ｂ，４ａ）を差込んで締付けるように切込溝（１０）を設けてなる試着用フェースカバー。
【請求項２】
通気性及び透視性を有したシート材で頭部を収容できるよう下方に開口部（１５）を設けて折畳可能に形成した袋体（１）を構成し、
試着者の顔を覆う前記袋体の前面部（４）の上部に、該袋体を被った試着者の目の部位に略合致する部位に多数の小孔（１１）からなる可視部（１２）を左右両端部分まで横方向に設けた該前面部（４）の下端を、該袋体の後面部（６）の下端より長く形成し、
該前面部（４）の下端中間部に下方から上方に切溝（８）を形成して左右に分断した垂片部（４ａ，４ｂ）を設けてなり、
各垂片部（４ａ，４ｂ）の中央部に他方側の垂片部（４ｂ，４ａ）を差込んで締付けるように切込溝（１０）を設けてなる試着用フェースカバー。
【請求項３】
通気性及び透視性を有したシート材で頭部を収容できるよう下方に開口部（１５）を設けて折畳可能に形成した袋体（１）を構成し、
試着者の顔を覆う前記袋体の前面部（４）の上部に、該袋体を被った試着者の目の部位に略合致する位置に形成した任意形状の開口窓（１１ａ）に透明フイルム（１３）を貼り付けて可視部（１２ｂ）を設けた該前面部（４）の下端を、該袋体の後面部（６）の下端より長く形成し、
該前面部（４）の下端中間部に下方から上方に切溝（８）を形成して左右に分断した垂片部（４ａ，４ｂ）を設けてなり、
各垂片部（４ａ，４ｂ）の中央部に他方側の垂片部（４ｂ，４ａ）を差込んで締付けるように切込溝（１０）を設けてなる試着用フェースカバー。
【考案の詳細な説明】
【技術分野】
【０００１】
本考案はフェースカバー、特に、自分に似合う洋服かどうかを確認するための試着に使用するフェースカバーに関するものである。
【背景技術】
【０００２】
従来、洋品店などで自分が気に入った洋服を見つけた場合、その洋服が自分に似合うかどうかを確かめるには試着する必要がある。この場合、頭から被って着るセーターやワンピースなどが顔を通過する際に、口紅などの化粧品が洋服に付着して汚したり、化粧品の香りが付着してしまうおそれがある。そのため、店側としては、商品である洋服の試着を自由に認めると化粧が付着して汚したり化粧の香りが付着したりすると、他のお客は試着しなくなって商品を買わなくなるという問題点があるが、他方、洋服が試着できないとその洋服が自分に似合うかどうか不明なため、お客は商品を購入しなくなるというジレンマがあった。
【０００３】
また、お客の中には試着した際に洋服を汚さないようにスカーフ等の薄い布地を持参し、化粧した顔やセットした髪の頭部を包んで洋服に化粧が付着したり香りが付着するのを防いで汚れないように心がける人もいる。しかし、スカーフなどを用意しているお客は少ないし、また、洋服を買う予定が無くても商品を見て衝動的に該商品が気に入って購入したい気持になることがある。しかるに、自由に洋服が試着できないとその洋服が自分に似合うかどうか不安なため、お客は商品の購入を見送ってしまう。このように、お店にとって洋服を汚されてしまう可能性はあるものの、洋服を買おうとするお客を逃がしてしまうという問題点を有していた。
【０００４】
洋品店などの中には、試着室内にスカーフなどの薄布を複数用意している店もある。しかし、スカーフで顔を包むと化粧した顔に密着するため、一回使用したスカーフには他人の化粧品が付着したり、化粧品の臭いや香水の香りが付着してしまう。そのため、該スカーフを使い回しする方式は、試着を希望する人にとって気分的に嫌われ試着をあきらめて商品を購入しなくなるというお客もいる。
【０００５】
さらに、スカーフを一回使用するごとに洗濯して再使用する方法もあるが、複数のスカーフの洗濯、アイロンかけなどに多大な時間および手間がかかるという欠点がある。その上、試着室には多数の人が出入するため、同じスカーフを使い回しする方式の場合、お客の多くは試着を敬遠して洋服の購入をあきらめてしまう。
【０００６】
他方、スカーフに代えてコストが安くて透視性を有した薄い不織布などのシート材で形成した袋体を使用し、試着の際に頭部から被って着るセーターやワンピース等に化粧が付着したり、香水などの香りが洋服に付着するのを防止するための袋体を、試着後に破棄する使い捨て式のフェースカバーもある。即ち、使い捨て式のフェースカバーを試着室内に用意しておき、洋服を試着する際にフェースカバーを頭部に被って化粧が付着しない状態でセーターなどを頭から被って着用し、鏡が見えにくいからとわざわざフェースカバーを外して鏡を見る人もあり、試着した洋服を脱ぐ時は該カバーを被らないと化粧品が付着するため、再度、該カバーを被りなおして試着した洋服を脱ぐこともあって極めて不便であった。
【０００７】
しかし、不織布など殻なる透視性を有した素材を通して鏡を見ると細かな部分が見えにくいという欠点がある。そのため、洋服を試着した後にフェースカバーを脱いで直接鏡を見て確認する人もいる。一旦、フェースカバーを顔から取り除いて鏡に映った洋服が自分に似合うかどうかを確認した後、再び、顔に袋体を着用するには手間がかかって面倒なため、頭部にフェースカバーを被らないまま前記洋服を脱いでしまう試着者もおり、そのため、試着した洋服に化粧が付着して汚してしまうことがある。
【０００８】
さらに、フェースカバーを頭部に被った状態で洋服を試着し、フェースカバーの前面部の目の位置と合致する部位に覗き穴部を設け、鏡に映った試着した洋服を直接観察できるようにする方法も考えられる。しかし、人によって目の大きさ及び目と目の間隔、さらには、目と頭部上端との距離が相違するため、汎用性をもたせるにはやや大きい覗き穴部を設ける必要がある。この場合、大きい穴で形成した覗き穴部は、該穴部からマスカラの付着した睫毛が袋体の外方に飛出したり、該覗き穴部に位置する目のまぶたや目じりに塗ったアイシャドーが付着して洋服を汚してしまうという問題点がある。
【特許文献１】実用新案登録第３０３７９８６号公報
【特許文献２】実用新案登録第３０６１７６３号公報
【考案の開示】
【考案が解決しようとする課題】
【０００９】
従来の使い捨て方式の透視性を有したシート材で形成した袋体は、該袋体を被った状態で鏡に映る試着した洋服を、該シート材の素材を通して見るため細かい部分が明瞭に見えにくいので、袋体を一時的に脱いで直接自分の目で鏡を見て確認する煩わしさがあった。そして、一時的に脱いだ袋体で再び顔を被うには手間がかかって面倒なため、袋体を頭部から脱いだ状態のまま試着したセーターなどを脱いでしまい洋服を汚してしまうことがあった。
【００１０】
そのため、この種の袋体の前面部に多数の小孔からなる可視部を設け、袋体を被ったまま鏡に映った洋服をこの袋体１の透視性を有する素材を通して見るのではなく、前記可視部に設けた多数の小孔から直接自分の目で見て確認できるようにする。さらに、前記前面部の目の部位に形成した任意形状の開口窓に透明フイルムを貼り付けて可視部を形成すれば、該透明フイルムからなる可視部は一層見やすくなる。
【課題を解決するための手段】
【００１１】
請求項１の考案は、通気性及び透視性を有したシート材で頭部を収容できるよう下方に開口部１５を設けて折畳可能に形成した袋体１を構成し、試着者の顔を覆う前記袋体の前面部４の上部に、該袋体を被った試着者の目の部位に略合致する一定範囲に多数の小孔１１からなる可視部１２を設けた該前面部４の下端を、該袋体の後面部６の下端より長く形成し、該前面部４の下端中間部に下方から上方に切溝を形成して左右に垂片部４ａ，４ｂを設けてなり、各垂片部４ａ，４ｂの中央部に他方側の垂片部４ｂ，４ａを差込んで締付けるように切込溝１０を設けてなることを特徴とするものである。
【００１２】
そのため、シート材からなる袋体１の前面部４の上部に、該袋体を試着者が顔に被った場合に目が位置する部位に多数の小孔１１からなる可視部１２を一定範囲に設けてあるため、従来のように、袋体のシート材の素材を通過して鏡に映った洋服を見るのではなく、多数の小孔１１群を通して直接見ることができるので細かい部分まで見ることができる。そして、従来のように、よく見るため試着の途中で袋体１を脱ぐ煩わしさはなく、頭部から被って着る洋服に化粧を付着して汚すことがない。この小孔は、例えば、レーザー光線やその他公知の手段で形成してある。
【００１３】
請求項２の考案は、通気性及び透視性を有したシート材で頭部を収容できるよう下方に開口部１５を設けて折畳可能に形成した袋体１を構成し、試着者の顔を覆う前記袋体の前面部４の上部に、該袋体を被った試着者の目の部位に略合致する部位に多数の小孔１１からなる可視部１２を左右両端部分まで横方向に設けた該前面部４の下端を、該袋体の後面部６の下端より長く形成し、該前面部４の下端中間部に下方から上方に切溝８を形成して左右に分断した垂片部４ａ，４ｂを設けてなり、各垂片部４ａ，４ｂの中央部に他方側の垂片部４ｂ，４ａを差込んで締付けるように切込溝１０を設けてなることを特徴とするものである。
【００１４】
シート材からなる前面部４の目の部分に水平方向に連続して多数の小孔からなる可視部１２ａを左右両端まで設けるには、二つ折りしたシート材を水平方向に移動させながら、又は、二つ折りする前の状態でレーザー光線など照射して、長尺なシート材の前面部４の左右両端まで連続して直線状に多数の小孔１１を設けることにより、可視部１２ａを設けることができるので作業性を一段と向上させることができる利点がある。
【００１５】
前面部４に可視部１２ａを設けたことにより、従来の如く、袋体１を脱いだり被り直したりする手間をなくし、試着した洋服の汚れを防止できる。可視部１２ａは、多数の小孔１１を前面部の上方に左右両端部分まで設けてあり、穿孔用のレーザー光線を一定間隔毎にｏｎ、ｏｆｆ操作することなく連続して照射することにより余計な操作を不用にして作業性を高めてコストダウンを図ることができる。
【００１６】
請求項３の考案は、通気性及び透視性を有したシート材で頭部を収容できるよう下方に開口部１５を設けて折畳可能に形成した袋体１を構成し、試着者の顔を覆う前記袋体の前面部４の上部に、該袋体を被った試着者の目の部位に略合致する位置に形成した任意形状をした開口窓１１ａに透明フイルム１３を取り付けて可視部１２ｂを設けた該前面部４の下端を、該袋体の後面部６の下端より長く形成し、該前面部４の下端中間部に下方から上方に切溝８を形成して左右に分断した垂片部４ａ，４ｂを設けてなり、各垂片部４ａ，４ｂの中央部に他方側の垂片部４ｂ，４ａを差込んで締付けるように切込溝１０を設けてなることを特徴とする。
【００１７】
そのため、シート材からなる袋体１の前面部４の上部に、該袋体を試着者が顔に被った場合に目が位置する部位に方形、円形、眼鏡状など任意の形状をした開口窓１１ａを設け、該開口窓より一回り大きくカットした透明フイルム１３を前記開口窓１１ａに加熱溶着で貼り付けたり、接着剤で接着したり、縫着、鋲着などで固着して可視部１２ｂを設けてあるため、従来のように、袋体を構成しているシート材の素材を通過して鏡に映った洋服を見るのではなく、該開口窓１１ａに取り付けた透明フイルム１３の部分から鏡に写った像を直接見ることができるので細かい部分まで見ることができる。そして、この可視部１２ｂは、比較的大きい範囲に切りとった開口窓１１ａに透明フイルム１３を取り付けて可視部１２ｂを形成してあるので、コストは多少上昇するもののその視野は大きいため、細かいところまでよく見ることができる効果を有するものである。
【考案の効果】
【００１８】
本考案は通気性と透過性を有したシート材からなるフェースカバーをなす袋体１の前面部４の上部に、該袋体を試着者が被った場合に目の部位に多数の小孔１１からなる可視部１２，１２ａまた任意形状に設けた開口窓１１ａに透明フイルム１３を貼り付けた可視部１２ｂを通して鏡に写った洋服などを良く見ることができる。そのため、試着の途中で袋体１を脱ぐことはなく、該可視部を形成する多数の小孔１１または開口窓１１ａを設け、該小孔１１群または開口窓１１ａに取り付けた透明フイルム１３を通して鏡に映った試着した洋服が自分に似合うかどうかを直接見て確認することができる。そのため、袋体１を脱いだり被り直したりする手間をなくして洋服の汚れを防止し、該可視部１２は目に略合致するような大きな穴は設けないので、マスカラのついた眉毛や目の周囲に塗ったアイシャドウに洋服が触れないため洋服を汚すことはない。
【００１９】
フェースカバーをなす袋体１を頭部から被った後に、一方の垂片部４ａ，４ｂは顎の下を通して他方の垂片部４ｂ，４ａに設けた切込溝１０、１０に挿通させることにより、セーターなどを頭部から脱ぐ際に袋体１も一緒に脱ぐように上方に引張られるが、袋体１の前面部４の下部に設けた垂片部４ａ，４ｂが顎に引っかかり頭から簡単に脱げないように作用する。しかも、袋体の前面部４の下方に左右に分けて設けた垂片部４ａ，４ｂに、他方側の垂片部４ｂ，４ａを差込んで締め付ける切込溝１０、１０を夫々設けてあるので、この袋体１を使用する人が右ききでも左ききでも対応できる便利さを有している。
【考案を実施するための最良の形態】
【００２０】
本考案に係る実施の形態を図面により説明すると、１はフェースカバーを構成する袋体で、通気性と透過性を有した柔軟で透視性を有したシート材で形成してあり、顔、即ち頭部を入れることができるように下方に開口部１５を設けて袋状に形成してある。通気性と透過性を有したシート材として、薄手の化学繊維製の不織布を利用するが、この不織布は、加熱溶着が可能であるから所望形状に裁断し、切断個所である両側部を加熱溶着して固着することにより袋状に形成できる。図示例では、薄手の化学繊維製の不織布を、図１の上辺部位で二つ折りし、左右の側面部位を上下方向に切断し、重なった側面部位を加熱溶着して側面接着部１６、１６を設けて袋体１を形成してある。この袋体１は平面から見るとその外形は方形であるから整頓する場合に容易に方形に折畳むことができる。
【００２１】
上記不織布としては、例えば、ポリプロプレン等の原料を用いても良いし、使い捨てにすることからペットボトル等の再生原料を使用したり、廃棄時に公害の出ない原料である生分解性合成樹脂などの原料を使用したり、さらに、再生可能な原料を使用することが好ましい。
【００２２】
図１において、袋体１の前面部４の上方に位置した一定範囲、また、図３に示すように、前面部４の上方に位置して左右両端まで、多数の小孔１１群からなる可視部１２，１２ａをそれぞれ形成してある。さらに、図５に示すように、前面部４の上方に外形が任意形状をしてやや広い面積の開口窓１１ａを形成し、該開口窓に透明フイルム１３の周縁部分に設けた取付部１３ａを前記開口窓１１ａの周縁部分に加熱溶着、接着剤による接着、縫着、鋲着などにより取り付けて形成してあるから、この可視部１２ｂは透明であって視野が大きく一層見やすいという利点がある。可視部１２，１２ａ、１２ｂの外側形状は、方形、円形、眼鏡状、その他任意の形状でもよいが、方形に形成した形が単純であるから多数の小孔１１を穿ったり、開口窓１１ａを形成するのに便利である。
【００２３】
可視部１２，１２ａを構成する多数の小孔１１は、例えば、レーザー光線、その他公知の手段を用いて形成してあるが、高周波を利用することもできる。このレーザー光線を一定間隔毎に又はノンストップに照射しながら、二つ折りし又は二つ折りしない状態でシート材の前面部４を上にして移動させながら多数の小孔を設けて可視部１２、１２ａを形成するが、レーザー光線をノンストップで照射する場合には、電気回路をｏｎ、ｏｆｆするなど余計な操作をする必要が必要がないので、スピードアップしてコストダウンを図ることができる。
【００２４】
前面部４に設ける多数の小孔１１は、例えば直径が約０.５μ〜５ｍｍ前後、好ましくは１μ〜２ｍｍ程度の口径をした多数の小孔を密集して設けてあるので、該小孔を通して袋体１内から外部の鏡に写った洋服の像を直接見ることができる。小孔１１の口径を例えば、２０〜３０ｍｍ程度に大きく形成すると、マスカラを付着した眉毛や目の周りに塗ったアイシャドーに洋服が接触して口紅などの化粧品が洋服を汚すおそれがある。しかし、０.５μ〜５ｍｍ前後、好ましくは１μ〜２ｍｍ程度の小孔１１を設けた場合は、袋体１内の試着者の睫毛が該小孔から外部に飛び出すことはほとんどないし、まぶたや目じりに塗ったアイシャドーに洋服が付着することがなく、その結果、洋服を汚すことはない。
【００２５】
可視部１２、１２ａは、前記した多数の小孔１１を密集して設けてある。ちなみに、拡大レンズがない場合、小さな穴のあいているものを利用して、該小さな穴から外部を見ると拡大して見えるというピンホール効果を利用するものである。この小孔は、ミクロン単位の穴から数ｍｍ単位のように小さな穴が好ましく、あまり大きな穴を設けると化粧などが衣服に付着するおそれがある。さらに、無数の小さな穴を密集させて設けてあると目の錯覚で、あたかも前面部４を構成している半透明のシート材である前面部４が殆ど透明に見える作用を有している。
【００２６】
また、頭部に被った袋体の前面部４の目の部位に、任意の形状をした開口窓１１ａを形成し、この開口窓１１ａより一回り大きくカットした透明フイルム１３の周囲に位置する取付部１３を該開口窓１１ａの周縁部分に加熱溶着や接着剤その他の方法で固着して視野の広い可視部１２ｂを設けてある。この場合、多数の小孔１１を形成する場合に比べて接着工程が増えるので多少コストは上昇するが、量産効果によりそれほどコストが上昇することはなく、また、該可視部１２ｂは透明であるからあたかも袋体１を被らないで鏡を見るのと同じ状態で試着できる利点がある。その上、内部がやや薄暗い袋体の中に頭部を入れる場合、狭い空間に対する恐怖心を有する人にとって、透明フイルムからなる広い可視部１２ｂを有して内部が明るいため安心して該袋体を被って洋服を試着できる。
【００２７】
袋体１を頭部に被って顔の前面を覆う前面部４の下部は、該袋体１の後面部６の下端より下方に長く形成してある（図２）。このように、袋体１の前面部４は後面部６の下端よりさらに下方に伸ばして形成してある。そして、この前面部４と後面部６との下端に位置が違うため、開口部１５内に顔を容易に入れることができる。
【００２８】
人の顔を覆う袋体１の前面部４の中間部分に、下端から上方に向けて切溝８を設け、該前面部４の下部を左右に分断して垂片部４ａ、４ｂを設けてある。この垂片部４ａ、４ｂは、袋体１を顔に被せる際に締付用の紐部として使用するもので、袋体１を頭部に被り、左右の垂片部４ａ，４ｂを試着者の顎の下で結ぶことにより袋体１は顎に引掛り、セーター等を脱ぐ際に袋体１がセータと共に脱げて落ちないようにしてある。上記切溝８は、袋体１を顔に被った際に、切溝８の上端は顎の真下に達するようにして顎に引っかかるようにしてあることが望ましい。
【００２９】
左右の垂片部４ａ，４ｂの一方又は双方には、垂片部４ａ、４ｂのいずれか他方の垂片部４ｂ，４ａを差込むため切込溝１０を設けてある。この場合、左右の垂片部４ａ，４ｂを相互に結ぶ方式の場合、該垂片部を結ぶためにはある程度長くないと結びずらいという問題点がある。また、該垂片部４ａ，４ｂを相応に長く形成していても結ぶ作業がわずらわしいという声もある。
【００３０】
それ故、簡単な操作によって結んだ場合と同等の効果が得られるようにするため、該垂片部４ａ，４ｂに切込溝１０を設け、該垂片部４ａ，４ｂを他方側の垂片部４ｂ，４ａに設けた切込溝１０に差込むことで、袋体１の下端に設けた開口部１５を絞り、試着したセーターなどを脱ぐ場合に、この袋体１がセーターと共に頭部の上方に引張られても、該垂片部が試着者の顎に引っ掛るため袋体１が頭部から脱げないという効果を有している。
【００３１】
図示例では、切込溝１０はＶ字状に形成し、左右の垂片部４ａ，４ｂの中央部に設けて左右対称にしてあり、試着者の利き手に応じて左右の垂片部４ａ，４ｂのいずれか一方を、いずれか他方の垂片部に切込溝１０内に差し込んで止着できるようにしてある。この切込溝１０は顎の下側に位置し、少なくとも一方の垂片部４ａを他方の垂片部４ｂの切込溝１０内に挿入できればその形状は、Ｖ字状に限らず、直線でもよいし、半円状でもよいし、ギザギザの形状など任意の形状でもよい。
【図面の簡単な説明】
【００３２】
【図１】本考案に係るフェースカバーの平面図である。
【図２】フェースカバーを立体的にした状態の平面図である。
【図３】本考案に係る第２の実施例におけるフェースカバーの平面図である。
【図４】図３に示したフェースカバーを立体的にした状態の平面図である。
【図５】本考案に係る第３実施例におけるフェースカバーの平面図である。
【図６】フェースカバー内に頭部を入れた状態の正面図である。
【図７】頭部に被ったフェースカバーの前面部の一方に位置して設けた垂片部に設けた切込溝に挿入した状態を示す参考正面図である。
【符号の説明】
【００３３】
１      袋体
４      前面部
４ａ    垂片部
４ｂ    垂片部
６      後面部
８      切溝
１０      切込溝
１１      小孔
１１ａ    開口窓
１２      可視部
１２ａ    可視部
１２ｂ    可視部
１３      透明フイルム
１３ａ    取付部
１５      開口部
【図１】
0003104540.tif 000003
【図２】
0003104540.tif 000004
【図３】
0003104540.tif 000005
【図４】
0003104540.tif 000006
【図５】
0003104540.tif 000007
【図６】
0003104540.tif 000008
【図７】
0003104540.tif 000009